(57)【要約】【課題】チェーンの張力調整作業を容易にでき、また、前側ガイドレールと上スプロケットとの間においてチェーンの作動をスムーズにできる除塵機を提供する。【解決手段】水路１上の主スクリーン３の後側の左右両側にチェーン１４を案内するアイドルスプロケット１８を設けると共に、アイドルスプロケット１８に軸芯位置調整装置１９を設ける。前側ガイドレール１１の上端１１Ａと上スプロケット９とのチェーン１４の経路１４Ａにチェーン１４が転動又は摺動する案内ローラ３２をフレーム上部７に設ける。アイドルスプロケット１８の軸芯位置調整装置１９を操作することにより、チェーン１４の経路部１４Ｂを変更して簡単に調整を行うことができる。【選択図】      図１
2004308174.tif 000002
【特許請求の範囲】
【請求項１】
水路の左右に配置されたフレーム間の上下に配設された主スクリーンと、前記主スクリーンの水路上流側の左右両側に配置される前側ガイドレールと、前記主スクリーンの前側で該前側ガイドレールに沿って上昇し後側で下降して循環走行すると共に左右両側に前記ガイドレールを転動又は摺動するチェーンを設けたレーキと、前記主スクリーンの上方の左右両側に設けられ前記チェーンをそれぞれ案内してレーキを反転させる上スプロケットとを有する除塵機において、前記水路上の前記主スクリーンの後側の左右両側に前記チェーンを案内するアイドルスプロケットを設けると共に、前記アイドルスプロケットに軸芯位置調整装置を設けたことを特徴とする除塵機。
【請求項２】
水路の左右に配置されたフレーム間の上下に配設された主スクリーンと、前記主スクリーンの左右両側に配置される前側ガイドレールと、前記主スクリーンの前側で該前側ガイドレールに沿って上昇し後側で下降して循環走行すると共に左右両側に前記ガイドレールを転動又は摺動するチェーンを設けたレーキと、前記主スクリーンの上方の左右両側に設けられ前記チェーンをそれぞれ案内してレーキを反転させる上スプロケットとを有する除塵機において、前記前側ガイドレールの上端と前記上スプロケットとの前記チェーンの経路に前記チェーンが転動又は摺動する案内ローラを前記フレームに設けたことを特徴とする除塵機。
【発明の詳細な説明】
【０００１】
【発明の属する技術分野】
本発明は、河川、取水路、上下水処理場、廃水処理場あるいは水力発電所の取水口などの水路中に設けられる除塵機に関する。
【０００２】
【従来の技術】
従来、この種のものとしてしている水路中に上下に配設された主スクリーンと、前記主スクリーンの左右両側に配置される前側ガイドレールと、前記主スクリーンの前側で該前側に沿って上昇し後側で下降して循環走行すると共に左右両側に前記ガイドレールを転動又は摺動するチェーンローラを設けたレーキと、前記主スクリーンの上端及び下端の左右両側に設けられ前記チェーンローラをそれぞれ案内してレーキを反転させる上スプロケット、下案内とを有する除塵機が公知である。（例えば、特許文献１参照。）。
【０００３】
【特許文献１】
特許第２７３７６０４号公報（段落００１０、図１）
【０００４】
【発明が解決しようとする課題】
一般的に従来の除塵機においては、チェーンローラの張力調整を上スプロケットの位置調整によって行っていたので、上スプロケットに位置調整装置が設けられていた。このように上スプロケットに位置調整装置が設けられたものにおいては、位置調整装置が比較的高い位置に設けられているので、作業性に劣るという問題があった。
【０００５】
また、従来の除塵機においては、チェーンローラは主スクリーン前側のガイドレールを転動又は摺動した後に上スプロケットに係合するものであるが、ガイドレールと上スプロケットとの間においてはチェーンローラは自由な状態となり、この結果チェーンローラが、くの字状に折曲して、スムーズな作動ができなくなるという虞がある。
【０００６】
そこで、本発明は、チェーンの張力調整作業を容易にできる除塵機を提供することを目的とする。また、本発明は、前側ガイドレールと上スプロケットとの間においてチェーンの作動をスムーズにできる除塵機を提供することを目的とする。
【０００７】
【課題を解決するための手段】
請求項１の発明は、水路の左右に配置されたフレーム間の上下に配設された主スクリーンと、前記主スクリーンの水路上流側の左右両側に配置される前側ガイドレールと、前記主スクリーンの前側で該前側ガイドレールに沿って上昇し後側で下降して循環走行すると共に左右両側に前記ガイドレールを転動又は摺動するチェーンを設けたレーキと、前記主スクリーンの上方の左右両側に設けられ前記チェーンをそれぞれ案内してレーキを反転させる上スプロケットとを有する除塵機において、前記水路上の前記主スクリーンの後側の左右両側に前記チェーンを案内するアイドルスプロケットを設けると共に、前記アイドルスプロケットに軸芯位置調整装置を設けたことを特徴とする除塵機である。
【０００８】
この請求項１の構成によれば、アイドルスプロケットの軸芯位置調整装置を操作することにより、アイドルスプロケットの軸芯を移動して、チェーンの経路延長を変更する。
【０００９】
請求項２の発明は、水路の左右に配置されたフレーム間の上下に配設された主スクリーンと、前記主スクリーンの左右両側に配置される前側ガイドレールと、前記主スクリーンの前側で該前側ガイドレールに沿って上昇し後側で下降して循環走行すると共に左右両側に前記ガイドレールを転動又は摺動するチェーンを設けたレーキと、前記主スクリーンの上方の左右両側に設けられ前記チェーンをそれぞれ案内してレーキを反転させる上スプロケットとを有する除塵機において、前記前側ガイドレールの上端と前記上スプロケットとの前記チェーンの経路に前記チェーンが転動又は摺動する案内ローラを前記フレームに設けたことを特徴とする除塵機である。
【００１０】
この請求項２の構成によれば、前側ガイドレールの上端と上スプロケットとの間においてはチェーンは案内ローラを転動又は摺動して走行することができる。
【００１１】
【発明の実施形態】
以下、本発明の一実施形態を添付図を参照して説明する。１は水路、２はこの水路中の底面である。３は水路１の上流側の左右に配置されたフレーム４間の上下に配設された主スクリーン、この主スクリーン３は、縦格子状のバースクリーンであり、多数のバー５からなる。そして、主スクリーン３は、水路１の左右に配置されるフレーム下部６を介して水路１中に若干傾斜した状態で上下に配設され、下端は水路１中の底面２との間に隙間を有している。そして、前記水路１中に配置された左右一対のフレーム下部６のそれぞれ上部には、水路１上に位置して左右一対のフレーム上部７が設けられている。このフレーム上部７は、水路１の流れ方向、すなわち前後方向に沿って幅Ｗが広く配置された金属板状であって、斜め後方へ次第に幅Ｗが狭くなるように立設している。尚、フレーム下部６とフレーム上部７は一体形フレームでもよい。また、フレーム上部７の幅Ｗは下部及び上部より中間部が幅大となるように形成してもよい。そして、主スクリーン３の上端付近に位置して平板状のエプロン８が斜め上方に設けられ、このエプロン８の上端に位置して駆動スプロケットたる上スプロケット９がフレーム上部７の上端側で軸受１０により軸着されている。
【００１２】
また、前記フレーム下部６及びフレーム上部７には、主スクリーン３及びエプロン８の上流側すなわち前側に沿って前側ガイドレール１１が設けられており、この前側ガイドレール１１の上端部１１Ａの接線方向Ｙは上スプロケット９の回転軌跡１２の上部にほぼ点接触するように配置されて、前記上端部１１Ａは上スプロケット９に近接している。一方、前側ガイドレール１１の下端部１１Ｂは、前記底面２に近接してほぼ半円に後方へ湾曲した折り返しガイドレール１２が形成されている。また、折り返しガイドレール１２の後側に位置する先端１２Ａには、主スクリーン３の下流側すなわち後側に後側ガイドレール１３が設けられている。前記前側ガイドレール１１は後述するチェーン１４を前後間で挟むように所定の間隔を有して前側部１５及び後側部１５Ａを有しており、前側部１５は、下端１１Ｂよりフレーム下部６のほぼ上部まで設けられ、一方後側部１５Ａは下端１１Ｂより上端１１Ａまで設けられている。折り返しガイドレール１２はチェーン１４を上下間で挟むように所定の間隔を有して下側部１６及び上側部１６Ａを有し、さらに後側ガイドレール１３は、チェーン１４を後前間で挟むように所定の間隔を有して後側部１７及び前側部１７Ａを有しており、後側ガイドレール１３の上端１３Ａはフレーム下部６のほぼ上部に延設している。そして、前側部１５と下側部１６と後側部１７は連続し、また後側部１５Ａと上側部１６Ａと前側部１７Ａは連続している。
【００１３】
上スプロケット９と折り返しガイドレール１２側に掛け渡された無端状のチェーン１４は、左右一対設けられ、前記前側、折り返し及び後側ガイドレール１１，１２，１３に沿って、前側ガイドレール１１で上昇し上スプロケット９で下方へ折り返し、後側ガイドレール１３で下降し、折り返しガイドレール１２で上方へ折り返して循環走行するものである。
【００１４】
さらに、前記上スプロケット９と後側ガイドレール１３の上端１３Ａとの間のチェーン１４の経路１４Ａの途中のくの字形の経路部１４Ｂの内側にアイドルスプロケット１８を設ける。アイドルスプロケット１８はチェーン１４を案内するために遊転するスプロケットであって、フレーム上部７を介して軸着する。そして、このアイドルスプロケット１８にチェーン１４の張力を調整するための軸芯位置調整装置１９を設ける。軸芯位置調整装置１９は、経路部１４Ｂに対して直交して外側に長孔２０をフレーム上部７に形成し、この長孔２０にアイドルスプロケット１８の軸２１を軸受２１Ａを直接的或いは間接的に介して挿通すると共に、前記軸２１を長孔２０に沿って移動できるようにしておく。さらに、前記軸２１を長孔２０の適所に前記軸受２１Ａを介して固定するように固定手段２２を設けている。固定手段２２は、例えばフレーム上部７と一体な雌螺子部２２Ａとブラケット７Ａに螺子軸２２Ｂを長孔２０の方向に貫通すると共にその先端２２Ｃを経路部１４Ｂに対向している。一方軸２１又は軸受２１Ａと直接的或いは間接的に取付部材２２Ｅを一体に設ける。この取付部材２２Ｅはフレーム上部７に沿って摺動して移動できるようになっている。そして、先端２２Ｃを取付部材２２Ｅの当接受け部２２Ｄに押圧するように当接させることにより、前記軸２１を経路部１４Ｂの張力に抗して長孔２０の適所に固定できるようになっている。尚、７Ｂはフレーム上部７の表面に添着した補強板である。したがって、螺子軸２２Ｂを回動することにより雌螺子部２２Ａ螺合して螺子軸２２Ｂを進退することにより、取付部材２２Ｅ、ひいては軸２１、軸受２１Ａを長孔２０に転動或いは摺動してその位置を調整することができるものである。
【００１５】
そして、チェーン１４は、一対のチェーンリンク２３と、このチェーンリンク２３の端部に図示しないピンを介して回転可能に支持された合成樹脂製のローラ２４とを組として、これらを多数組連結してチェーンローラが構成されている。前記左右のチェーン１４間には、レーキ２５が渡して固定してあり、レーキ２５は両端部が左右のチェーン１４のチェーンリンク２３に連結されている。また、レーキ２５には、該レーキ２５の進行方向とほぼ直交する平板状の櫛歯２６，２７をそれぞれ複数有している。そして、櫛歯２６は、前記主スクリーン３のバー５間を通るものである。また、櫛歯２７は、底面２に立設した補助スクリーン２８を通るものである。尚、図中２９はモータで、このモータ２９は、駆動用チェーン３０を介して前記上スプロケット９に動力を伝達し、前記チェーン１４を駆動するものである。また、３１は上スプロケット９の後側の下方に位置する回収した塵芥類を収容する収容部である。
【００１６】
さらに、前側ガイドレール１１の上端１１Ａと上スプロケット９とのチェーン１４の経路１４Ａに前記チェーン１４が転動又は摺動する案内ローラ３２を前記フレーム上部７に設ける。これは前側ガイドレール１１の上端１１Ａ側と上スプロケット９におけるチェーン１４の係合始端、すなわち前記接線Ｙがほぼ点接触する箇所との間に、案内ローラ３２を設けるものであり、案内ローラ３２は前記前側ガイドレール１１の経路１４Ａ、すなわち上端１１Ａの接線Ｙにほぼ沿って１又は複数配置されるものであって、案内ローラ３２の回転中心軸芯３３は立設したフレーム上部７の内側に向けて、該フレーム上部の縦方向に直交し、かつ案内ローラ３２の周面上部にチェーン１４におけるチェーンリンク２３または、及びローラ２４の下部が転動又は摺動するように配置されている。
【００１７】
つぎに、前記の構成について、その作用を説明する。除塵機において、チェーン１４の張力の調整を行うとき、例えば張力を強めるときは、固定手段２２を緩めて軸受２１Ａを介して軸２１を長孔２０の内側（図１では斜め上方）に移動し、そして再び固定手段２２を締めて軸２１を長孔２０に固定することにより、チェーン１４の経路１４Ａを長くして、チェーン１４を張ることができる。
【００１８】
そして、モータ２９の駆動により、チェーン１４が図１において時計回り方向へ回り、このチェーン１４とともにレーキ２５が循環走行する。そして、主スクリーン３の前側において上昇するレーキ２５が、水路１中を流れ主スクリーン３の前側、すなわち上流側に捕捉された塵芥類を櫛歯２６により掻き上げ、除去する。掻き上げられた塵芥は、レーキ２５が上スプロケット９を回って反転することにより、収容部３１へ落下する。その後、レーキ２５は、主スクリーン３の後側を下降し、折り返しガイドレール１２に沿ってで主スクリーン３の下端を回って反転し、再び主スクリーン３の前側を上昇する。そして、折り返しガイドレール１２に沿ってレーキ２５が回っている間に、レーキ２５の櫛歯２７が補助スクリーン２８のバー間を通って、この補助スクリーン２８に捕捉された塵芥類を連行して引き上げていく。
【００１９】
このようにチェーン１４とともにレーキ２５が循環走行するとき、チェーン１４は前記前側、折り返し及び後側ガイドレール１１，１２，１３に沿って、前側ガイドレール１１で上昇し上スプロケット９で下方へ折り返し、後側ガイドレール１３で下降し、折り返しガイドレール１２で上方へ折り返して循環走行すると共に、これら前側、折り返し及び後側ガイドレール１１，１２，１３において、チェーン１４は連続した前側部１５と下側部１６と後側部１７と、これらとチェーン１４の転動又は摺動のため所定間隔に離れて形成される連続した後側部１５Ａと上側部１６Ａと前側部１７Ａとの間に挟まれるようにして案内されながら転動又は摺動する。そして、このようなチェーン１４とともにレーキ２５が循環走行のとき、チェーン１４が前側ガイドレール１１の上端１１Ａから上スプロケット９に向けて走行するときに、チェーンリンク２３とローラ２４は、前記接線方向Ｙに配置される案内ローラ３２に転動又は摺動して、チェーン１４は前記接線Ｙに沿って移動した後に、上スプロケット９に係合することができる。このためにチェーン１４が前側ガイドレール１１の上端１１Ａから上スプロケット９の間において屈曲するようなことはなく、この結果チェーン１４は前側ガイドレール１１の上端１１Ａから上スプロケット９へ案内ローラ３２によりスムーズに移行することができる。
【００２０】
以上のように、前記実施形態では水路１上の前記主スクリーン３の後側の左右両側にチェーン１４を案内するアイドルスプロケット１８を設けると共に、前記アイドルスプロケット１８に軸芯位置調整装置１９を設けたことにより、アイドルスプロケット１８の軸芯位置調整装置１９を操作することにより、チェーン１４の経路部１４Ｂを変更して簡単に調整を行うことができる。また、フレーム上部７の上部には軸受１０などが配置されることとなるので、平板状のフレーム上部７の外観を向上することができる。
【００２１】
また、前側ガイドレール１１の上端１１Ａと上スプロケット９とのチェーン１４の経路１４Ａに前記チェーン１４が転動又は摺動する案内ローラ３２を前記フレーム上部７に設けることにより、前側ガイドレール１１の上端１１Ａと上スプロケット９との間においてはチェーン１４は動きが規制されて無駄な動きをすることなくスムーズな作動ができる。
【００２２】
さらに、前記前側ガイドレール１１の下端１１Ｂを後方へ折り返して折り返しガイドレール１２を設けると共に、この折り返しガイドレール１２の先端１２Ａを前記上スプロケット９の方向に延設して後側ガイドレール１３を設け、前記後側ガイドレール１３は前記チェーン１４を挟むように前側部１７Ａと後側部１７が設けられるので、チェーン１４は、後側ガイドレール１３の前側部１７Ａと後側部１７に挟まれるようにして走行し、主スクリーン３の後側においてチェーン１４は無駄な動きがなく、スムーズな作動ができる。
【００２３】
尚、本発明は上記実施形態に限定されるものではなく、本発明の要旨の範囲内において、種々の変形実施が可能である。
【００２４】
【発明の効果】
請求項１の発明は、水路の左右に配置されたフレーム間の上下に配設された主スクリーンと、前記主スクリーンの水路上流側の左右両側に配置される前側ガイドレールと、前記主スクリーンの前側で該前側ガイドレールに沿って上昇し後側で下降して循環走行すると共に左右両側に前記ガイドレールを転動又は摺動するチェーンを設けたレーキと、前記主スクリーンの上方の左右両側に設けられ前記チェーンをそれぞれ案内してレーキを反転させる上スプロケットとを有する除塵機において、前記水路上の前記主スクリーンの後側の左右両側に前記チェーンを案内するアイドルスプロケットを設けると共に、前記アイドルスプロケットに軸芯位置調整装置を設けたことを特徴とする除塵機であり、チェーンの張力等の調整にあっては上スプロケットより下方に位置するアイドルスプロケットを移動することにより、簡単に調整を行うことができる。
【００２５】
請求項２の発明は、水路の左右に配置されたフレーム間の上下に配設された主スクリーンと、前記主スクリーンの左右両側に配置される前側ガイドレールと、前記主スクリーンの前側で該前側ガイドレールに沿って上昇し後側で下降して循環走行すると共に左右両側に前記ガイドレールを転動又は摺動するチェーンを設けたレーキと、前記主スクリーンの上方の左右両側に設けられ前記チェーンをそれぞれ案内してレーキを反転させる上スプロケットとを有する除塵機において、前記前側ガイドレールの上端と前記上スプロケットとの前記チェーンの経路に前記チェーンが転動又は摺動する案内ローラを前記フレームに設けたことを特徴とする除塵機であり、チェーンは前側ガイドレールの上端と上スプロケットとの間において動きが規制されて無駄な動きをすることなくスムーズな作動ができる。
【図面の簡単な説明】
【図１】本発明の一実施形態を示す断面図である。
【図２】本発明の一実施形態を示す一部を拡大断面とした斜視図である。
【図３】本発明の一実施形態を示す案内ローラの斜視図である。
【図４】本発明の一実施形態を示すアイドルスプロケットの正面図である。
【図５】本発明の一実施形態を示すアイドルスプロケットの断面図である。
【符号の説明】
１  水路
３  主スクリーン
４  フレーム
９  上スプロケット
１１  前側ガイドレール
１４  チェーン
１４Ａ  経路
１８  アイドルスプロケット
１９  軸芯位置調整装置
２５  レーキ
３２  案内ローラ
【図１】
2004308174.tif 000003
【図２】
2004308174.tif 000004
【図３】
2004308174.tif 000005
【図４】
2004308174.tif 000006
【図５】
2004308174.tif 000007